(57)【特許請求の範囲】
【請求項１】
モーターおよび羽根を具備した送風機を内蔵し、一端側に外方に突出したフランジを有した箱体状の本体と、この本体に、建物の床下基礎部に設けられた床下換気口よりも大きな開口を形成した吸込口と、この吸込口と連通する排気口とを備え、前記吸込口で前記床下換気口を覆うように前記フランジを床下基礎部に当接させて取り付ける構成とした床下用換気扇であって、前記本体内に複数の前記送風機を設け、隣合う前記送風機の排気側を仕切る遮蔽板を設け、前記遮蔽板は前記排気口の内部容積を不均等に分割可能にする構成としたことを特徴とする床下用換気扇。
【請求項２】
遮蔽板を移動可能に構成した請求項１記載の床下用換気扇。
【発明の詳細な説明】
【０００１】
【発明の属する技術分野】
本発明は、床下基礎部に形成される床下換気口に設けて床下内を換気する床下用換気扇に関する。
【０００２】
【従来の技術】
近年、建物の床下に用いられている木材が湿気やシロアリなどに侵され、建物の寿命が短くなるのを防止するため、床下内を換気する床下用換気扇が普及してきている。
【０００３】
従来、この種の床下用換気扇について図１０を参照しながら説明する。
【０００４】
図に示すように、前後に開口を有した箱状で内部に送風機１０１を有した本体１０２の前面に外側に突出するフランジ１０３を設け、本体１０２の後面には防鼠用網１０４を設け、フランジ１０３を通気口１０５を形成した取付板１０６の表面側からねじ１０７で取り付け、床下基礎部１０８に形成された床下換気口１０９内に本体１０２を挿入し、取付板１０６に設けた取付穴１１０に取付ねじ１１１を挿通し床下基礎部１０８に螺合することにより、床下換気口１０９周辺の床下基礎部１０８に本体１０２を取り付けた取付板１０６を取り付け、取付板１０６と床下基礎部１０８の間をコーキングして雨水の浸入を防止していた。
【０００５】
【発明が解決しようとする課題】
このような従来の床下用換気扇の構成では、取り付ける床下換気口１０９の大きさによって、本体１０２の高さ方向もしくは幅方向が狭くて入らなくなるという問題が生じていた。この場合、床下基礎部１０８の床下換気口１０９を削って大きくし（ハツリ工事）、それから本体１０２を挿入していた。
【０００６】
また、たとえ取り付けたとしても非常に狭い床下基礎部１０８の床下換気口１０９に本体１０２を挿入するため、本体１０２の大きさに制約があり、本体１０２内部に有する送風機１０１の数や羽根の大きさなどが制約され、結果的に径の小さい羽根や少ない数のモーターを使用して大風量を出さなければならないため、高回転数で羽根を回さなければならず、騒音の増大につながるという課題があった。
【０００７】
また、本体１０２に設けた送風機１０１のメンテナンスをする時には、取付板１０６に施されたコーキングを取り除き取付板１０６を取り付けている取付ねじ１１１を緩め、取付板１０６とともに本体１０２を床下基礎部１０８に設けた床下換気口１０９より取り外した後、取付板１０６よりねじ１０７を緩めて本体１０２を取り外しメンテナンスを行わなければならないので、本体１０２の取り外しに手間がかかるとともに、取り付け板１０６を一旦取り外すため、送風機１０１のメンテナンス後に床下基礎部１０８に取付板１０６をもとどおりに取り付ける時に再度コーキングを行わなければならないという課題があった。
【０００８】
本発明は、上記課題を解決するもので、床下用換気扇自体の低騒音化を図り、床下基礎部の通気口を削る（ハツリ工事）ことなく、あらゆる形の床下通気口に簡単に取り付けることができる省施工の床下用換気扇を提供することを目的とする。
【０００９】
【課題を解決するための手段】
モーターおよび羽根を具備した送風機を内蔵し、一端側に外方に突出したフランジを有した箱体状の本体と、この本体に、建物の床下基礎部に設けられた床下換気口よりも大きな開口を形成した吸込口と、この吸込口と連通する排気口とを備え、前記吸込口で前記床下換気口を覆うように前記フランジを床下基礎部に当接させて取り付ける構成とした床下用換気扇である。
【００１０】
本発明によれば、床下基礎部の床下換気口が小さくてもハツリ工事が不必要であり、そのため省施工で取り付けることができる床下用換気扇を提供することができる。
【００１１】
【発明の実施の形態】
本発明の請求項１に記載の発明は、モーターおよび羽根を具備した送風機を内蔵し、一端側に外方に突出したフランジを有した箱体状の本体と、この本体に、建物の床下基礎部に設けられた床下換気口よりも大きな開口を形成した吸込口と、この吸込口と連通する排気口とを備え、前記吸込口で前記床下換気口を覆うように前記フランジを床下基礎部に当接させて取り付ける構成とした床下用換気扇であって、前記本体内に複数の前記送風機を設け、隣合う前記送風機の排気側を仕切る遮蔽板を設け、前記遮蔽板は前記排気口の内部容積を不均等に分割可能にする構成とした床下用換気扇であるので、床下用換気扇を床下基礎部の床下換気口に取り付ける場合、床下換気口が換気扇本体よりも小さくてもハツリ工事が不必要となり、省施工で取り付けることができる床下用換気扇を提供することができる。また、床下用換気扇本体の大きさが床下換気口の大きさにとらわれることのない床下用換気扇を提供することができる。さらに、大風量でうなり音を発生しにくい床下用換気扇を提供することができる。
【００１２】
以下、本発明の実施の形態について、図１〜図９を参照しながら説明する。
【００１３】
（実施の形態１）
図１および図２に示すように、取付板１にモーター２と床下換気口１０９の高さ寸法または幅寸法より大きな直径のプロペラファン３を具備した送風機４を並列に二つ固定して、箱体状の本体５の内部に設ける。本体５の一端には外方に向け突出するフランジ６を設け、そのフランジ６の裏面には壁に取り付けたときに密閉性を保つためのゴムパッキン７が貼られている。また、フランジ６には床下基礎部１０８に取り付けるために必要なボルトねじ８を貫通する穴９が設けられている。そして、本体５には吸込口１０と排気口１１が設けられており、保護のために安全網１２が取り付けられている。取付板１は吸込口１０と排気口１１を遮る壁の役割をしている。また、送風機４のモーター２は排気口１１側、プロペラファン３は吸込口１０側に向いて位置しており、取付板１の高さ方向のほぼ中央に送風機４は取り付けられている。吸込口１０は本体５の床下基礎部１０８取付面側に位置し、排気口１１は本体５の中心よりも下側に位置し、排気口１１は略地面に向かって斜め方向を向いており、吸込口１０から吸い込まれた床下内の空気は排気流として略地面方向もしくは斜め方向に排出されるようになっている。また、排気口１１は建築基準法施工令２２条に基づいた開口面積（３００ｃｍ2以上）を確保するよう形成されている。
【００１４】
また、図３に示すように、排気口１１にはそれぞれの送風機４の排気側からの流れを分離する遮蔽板１３が設けられており、この遮蔽板１３は排気口の内部容積を不均等に分割している。さらに遮蔽板１３は取付板１と本体５に完全に固定されておらず、排気口１１の下部に設けられたスライド１４をガイドとして水平方向に移動可能な構造になっている。
【００１５】
上記構成において、この床下用換気扇を住宅の床下基礎部１０８の床下換気口１０９に取り付けるときには図２および図４に示すように行う。つまり床下基礎部１０８に設けられた床下換気口１０９より大きな吸込口１０を床下基礎部１０８に設けられた床下換気口１０９を覆うように、床下基礎部１０８に当接して、フランジ６の穴９を利用してボルトネジ８で取り付ける。また、この床下用換気扇は地面に対してすぐそばに取り付けられるが、排気口１１が略地面に向かって斜め方向を向いているため、排気流が斜め方向に排出され床下用換気扇の性能が低下することはない。そして最適な取り付け位置としては床下換気口１０９が吸込口１０に対して高さ方向、幅方向ともに中央に来るように位置すればよい。さらに密閉度を高めるため、フランジ６にコーキングを施す。しかし、従来の床下用換気扇であれば、床下換気口１０９内に挿入するため床下換気口１０９の高さが本体より小さければハツリ工事が余儀なくされ、さらにもともと設けられていた床下換気口１０９が建築基準法施工令２２条に基づく開口面積に対して同等の大きさしか有していなければ、床下用換気扇を床下換気口１０９に挿入することによって開口面積が小さくなってしまい、法規を満たすためには別個に床下換気口を設けなければならない。本発明の床下用換気扇では床下換気口１０９の内部に挿入せず床下基礎部１０８に取り付けるため、床下換気口の形状に依存せず常に取り付けることができ、排気口１１が法規を満たす開口面積を確保するよう形成されているため、別個に床下換気口を設ける必要はないため、取り付け工事は短縮され省施工となる。
【００１６】
この床下用換気扇を運転すると図５に示すように、送風機４を動作させることで床下内の空気を吸込口１０より吸い込み、排気口１１より排出する。排気口１１は地面と略対向するように設けられているため、略地面方向の流れができる。
【００１７】
近年の住宅は密集した立地条件にあることが多く隣家との間が非常に狭いという現状がある。従来の床下用換気扇は吸込口と排気口が略直線上に形成されており、排気方向が地面に対して平行となる。この排気方向の前方に隣家の壁、つまり障害物があった場合にはその障害物が抵抗となり、換気扇の性能の低下につながる。しかし図５の場合であれば排気方向が斜め下方になっているため、障害物による性能低下などの影響がない。また、排気方向が下方を向いているため、隣家に住んでいる人に対して排気風があたって不快感を与えてしまうこともない。
【００１８】
また、本発明の床下用換気扇は床下換気口１０９内に送風機４を入れないため、羽根の径の大きさや送風機の数に制約を受けない。それゆえ、従来の床下換気口に対して大きな径の羽根を使用したり、複数の送風機を使用することができる。大きな羽根を使用する時は、従来の床下用換気扇と同等の風量を出す時に比較して低回転数で運転することができ、当然換気扇による騒音値は非常に小さくなる。また、大風量が必要である時には送風機を複数個に増やせばよい。そうすることによって大風量化が可能となる。
【００１９】
送風機を２つ使用する時は、それぞれの送風機の回転数が一致すると、騒音のピークが重なり合い騒音増大につながる可能性がある。そこで、図３に示すように自由に水平方向に移動可能である遮蔽板１３を矢印のように移動させることによって、送風機に負担する抵抗の大きさを変えることができ、これによりそれぞれの送風機の回転数が一致する現象が起こりにくくなり、うなり音を削除して低騒音化の換気扇を提供することができる。
【００２０】
（実施の形態２）
図６および図７に示すように、実施の形態１の床下用換気扇に対して、アタッチメント１５として別部材をさらに設けたものである。床下換気口１０９の寸法よりも十分に大きく、吸込口１０よりも小さい筒１６と、一端側に外方に突出したフランジ１７とを有するアタッチメント１５を介して本体５を床下基礎部１０８に取り付ける構成となっている。本体５にはボルトネジ１８を使用してアタッチメント１５と固定するために必要な穴１９が設けられ、アタッチメント１５の床下換気口１０９の寸法よりも十分に大きい筒１６側部にも本体５の固定に必要なネジ穴２０を設けてある。また、アタッチメント１５のフランジ１７には床下基礎部１０８に固定するための穴２１を有している。換気扇の吸込口１０の内周にはゴムパッキン２２が貼られている。
【００２１】
上記構成において、この床下用換気扇を床下基礎部１０８の床下換気口１０９に取り付ける場合はまず、アタッチメント１５をフランジ１７に設けられた穴２１にボルトねじ２３を貫通させて床下基礎部１０８に取り付ける。そして密閉度を高めるためアタッチメント１５のフランジ１７をコーキングする。その後、筒１６に換気扇の吸込口１０をかぶせるように取り付け、床下基礎部１０８に本体５を完全に押し当てるように取り付ける。本体５とアタッチメント１５との固定は本体側部に設けられた穴１９にネジ１８を貫通させて筒１６に設けられたネジ２０で固定する。アタッチメント１５と本体５との密閉度を高めるために吸込口１０の内周に貼られたゴムパッキン２２が機能している。
【００２２】
本発明の床下用換気扇ではメンテナンスを行う時にはボルトネジ１８を外せばよいだけなので非常に省施工となり、一度施したコーキングも外さなくてよいため再度コーキングを施す必要もなくなる。
【００２３】
（実施の形態３）
実施の形態１の換気扇において、図８に示すように太陽電池２４から発電される電気を電源とし、図９に示す換気扇２５に内蔵されたＤＣモーター２６を駆動するようになっている太陽電池発電システムが構成されている。また、太陽電池２４で発電された電気は直接ＤＣモーター２６に与えられているわけではなく、ＶＣＴケーブル２７を介してコントローラー２８に接続されその後にＤＣモーター２６に接続されている。
【００２４】
上記構成において、太陽電池２４は建物の一日を通して直射日光が十分にあたる場所に取り付けられており、コントローラ２８によって必要な電力を配分し換気扇２５に通電させることによって換気扇２５を駆動している。天気の悪い日は当然太陽電池２４で電力を発電することができないので換気扇２５を駆動することができないが、コントローラー２８によって効率的な換気扇２５の駆動を行っている。商用電源を必要としないため、簡単にかつ安全に電気工事を行うことができ、さらに電気代もかからず余計な排出物も出さないので環境にやさしい床下用換気扇を提供することができる。
【００２５】
また、床下用換気扇は既築の建物に取り付けることが多いので、電気工事も簡単でかつ安全性を求められるケースがあり、太陽電池駆動の商品が要望される。その時、所定の風量を得るのにモーターで消費する電力を太陽電池でまかなうのだが、消費電力が大きければ非常にサイズの大きい太陽電池が必要となり、それにともないコストも増大する。さらに大きいサイズの太陽電池が必要となるとその施工が大変になるという問題があるが、本発明の床下用換気扇では消費電力を低く抑えることができるので、太陽電池の容量やサイズも小さくて済む。その結果コストも抑えられ、また太陽電池の取り付け工事も容易に行える。
【００２６】
【発明の効果】
以上のように、請求項１記載の発明によれば、省施工で取り付けることができ、さらに、大風量で、うなり音を発生しにくい床下用換気扇を提供することができる。
【００３１】
また、請求項２記載の発明によれば、遮蔽板をユーザーが自由に移動させることにより、うなり音を発生しにくく調節することができる。
【図面の簡単な説明】
【図１】実施の形態１の床下用換気扇の構成を示す斜視図
【図２】同床下用換気扇の壁取付状態を示す側断面図
【図３】同床下用換気扇の遮蔽板を示す斜視図
【図４】同床下用換気扇の床下基礎部に取り付ける方法を示した斜視図
【図５】同床下用換気扇の排気方向を示す断面図
【図６】実施の形態２の床下用換気扇の構成を示す斜視図
【図７】同床下用換気扇の構成を示す断面図
【図８】実施の形態３の床下用換気扇の構成を示すシステム図
【図９】同床下用換気扇の断面図
【図１０】従来の床下用換気扇の分解斜視図
【符号の説明】
２          モーター
３          プロペラファン
４          送風機
５          本体
６          フランジ
１０        排気口
１１        吸込口
１３        遮蔽板
１５        アタッチメント
１６        筒
１７        フランジ
２４        太陽電池
２６        ＤＣモーター
１０８      床下基礎部
１０９      床下換気口
【図１】
0003803566.tif 000002
【図２】
0003803566.tif 000003
【図３】
0003803566.tif 000004
【図４】
0003803566.tif 000005
【図５】
0003803566.tif 000006
【図６】
0003803566.tif 000007
【図７】
0003803566.tif 000008
【図８】
0003803566.tif 000009
【図９】
0003803566.tif 000010
【図１０】
0003803566.tif 000011